(57)【要約】【課題】  印刷途中に用紙切れが発生することを回避することで、帳票などの連続紙を用いた大量印刷を一括して指示できるようにした印刷システムおよびその印刷制御方法、印刷制御装置および印刷管理プログラムを提供する。【解決手段】  プリントサーバ２０では、プリンタ３０から装填中の連続紙の用紙残枚数を取得するとともに、スプール中の印刷ジョブを解析し印刷に必要な用紙の印刷枚数を取得し、この用紙残枚数と印刷枚数とに基づいてプリンタ各々に対応した予測残枚数を表示部に表示する。ユーザが、この予測算枚数を参照して印刷ジョブの出力先等の変更操作を行うと、プリントサーバ２０は、この操作部からの操作指示に基づき当該ジョブに設定された出力先情報を変更する。【選択図】  図１
2007148533.tif 000002
【特許請求の範囲】
【請求項１】
連続紙を用いて印刷を行う複数台の印刷装置と、印刷ジョブに設定された出力先情報に基づいて前記複数台の印刷装置のいずれかに該印刷ジョブを送信して印刷処理を実行させる印刷制御装置とを有する印刷システムにおいて、
前記印刷装置は、
装填された連続紙の用紙残枚数を管理する管理手段
を具備し、
前記印刷制御装置は、
前記管理手段から前記用紙残枚数を取得する残枚数取得手段と、
前記印刷ジョブを解析し印刷に必要な用紙の印刷枚数を取得する印刷枚数取得手段と、
前記残枚数取得手段で取得した前記用紙残枚数と、前記印刷枚数取得手段で取得した前記印刷枚数とに基づき前記複数の印刷装置各々に対応した予測残枚数を表示部に表示する表示制御手段と、
前記印刷ジョブに設定された出力先情報を操作部からの操作指示に基づき変更する変更手段と
を具備することを特徴とする印刷システム。
【請求項２】
連続紙を用いて印刷を行う複数台の印刷装置と、印刷ジョブに設定された出力先情報に基づいて前記複数台の印刷装置のいずれかに該印刷ジョブを送信して印刷処理を実行させる印刷制御装置とを有する印刷システムの印刷制御方法において、
前記印刷装置は、装填された連続紙の用紙残枚数を管理手段で管理し、
前記印刷制御装置は、前記管理手段から前記用紙残枚数を残枚数取得手段で取得するとともに、
前記印刷ジョブを解析し印刷に必要な用紙の印刷枚数を印刷枚数取得手段で取得し、
前記残枚数取得手段で取得した前記用紙残枚数と、前記印刷枚数取得手段で取得した前記印刷枚数とに基づき前記複数の印刷装置各々に対応した予測残枚数を表示部に表示制御手段で表示し、
前記印刷ジョブに設定された出力先情報を操作部からの操作指示に基づき変更手段で変更する
ことを特徴とする印刷システムの印刷制御方法。
【請求項３】
連続紙を用いて印刷を行う複数台の印刷装置と接続され、印刷ジョブに設定された出力先情報に基づいて前記複数台の印刷装置のいずれかに該印刷ジョブを送信して印刷処理を実行させる印刷制御装置において、
前記印刷装置から前記用紙残枚数を取得する残枚数取得手段と、
前記印刷ジョブを解析し印刷に必要な用紙の印刷枚数を取得する印刷枚数取得手段と、
前記残枚数取得手段で取得した前記用紙残枚数と、前記印刷枚数取得手段で取得した前記印刷枚数とに基づき前記複数の印刷装置各々に対応した予測残枚数を表示部に表示する表示制御手段と、
前記印刷ジョブに設定された出力先情報を操作部からの操作指示に基づき変更する変更手段と
を具備することを特徴とする印刷制御装置。
【請求項４】
連続紙を用いて印刷を行う複数台の印刷装置と接続され、印刷ジョブに設定された出力先情報に基づいて前記複数台の印刷装置のいずれかに該印刷ジョブを送信して印刷処理を実行させる処理をコンピュータに実行させる印刷管理プログラムであって、
前記印刷装置から前記用紙残枚数を取得する残枚数取得ステップと、
前記印刷ジョブを解析し印刷に必要な用紙の印刷枚数を取得する印刷枚数取得ステップと、
前記残枚数取得ステップで取得した前記用紙残枚数と、前記印刷枚数取得ステップで取得した前記印刷枚数とに基づき前記複数の印刷装置各々に対応した予測残枚数を表示部に表示する表示制御ステップと、
前記印刷ジョブに設定された出力先情報を操作部からの操作指示に基づき変更する変更ステップと
を含むことを特徴とする印刷管理プログラム。
【発明の詳細な説明】
【技術分野】
【０００１】
本発明は、連続紙を用いて印刷を行う複数台の印刷装置と、印刷ジョブに設定された出力先情報に基づいて前記複数台の印刷装置のいずれかに該印刷ジョブを送信して印刷処理を実行させる印刷制御装置とを有する印刷システムおよびその印刷制御方法、印刷制御装置および印刷管理プログラムに係わり、詳しくは、印刷装置各々に対応した予測残枚数を表示するとともに、その表示を参照して印刷ジョブの出力先情報を変更できるようにした印刷システムおよびその印刷制御方法、印刷制御装置および印刷管理プログラムに関する。
【背景技術】
【０００２】
一般に、複数のユーザが印刷を行うようなオフィス（企業、官公庁）、学校等においては、複数のユーザがネットワークに接続された１または複数台のプリンタ（印刷装置）を共用して利用できる印刷環境が構築されている。
【０００３】
このような印刷環境においては、プリントサーバ（印刷制御装置）が設けられ、このサーバでユーザからの印刷ジョブを受け付け、１または複数台のプリンタのいずれかに当該ジョブを転送し印刷が行われることとなる。
【０００４】
従来、このプリントサーバによる印刷制御では、印刷ジョブを受け付けると、印刷ジョブを解析し印刷枚数を特定することで、印刷に必要な枚数以上の残枚数を有するプリンタを検索し、該当プリンタへ当該ジョブを転送し印刷が行われていた。
【０００５】
ところが、プリンタ全ての残枚数が満遍なく減少すると、同時期に用紙の補充作業が集中して発生するという問題や、印刷枚数の多い印刷ジョブが送られてきた場合に、プリンタ各々の残枚数を数台に集結すれば対応できるが、残枚数が満遍なく減少しているために必要な残枚数を有するプリンタがなく、印刷ができなくなるという問題が生じていた。
【０００６】
そこで、この問題に対処するために、特許文献１には、印刷ジョブを受け付けると、当該ジョブの印刷に必要な枚数以上の残枚数を有するプリンタの中から、最も残枚数の少ないプリンタを検索し、該当プリンタへ当該ジョブを転送することで、残枚数の多いプリンタを確保するという技術が開示される。
【特許文献１】特開２００３−２８０８７６号
【発明の開示】
【発明が解決しようとする課題】
【０００７】
さて、帳票の印刷に際しては、複数の帳票がミシン目などで連続して繋がった連続紙が用いられる。この連続紙を用いた印刷においては、１つの印刷ジョブを連続した用紙のまま印刷する必要があるため、帳票の印刷途中に用紙切れが発生することは問題となる。
【０００８】
しかし、上記特許文献１に開示された技術では、印刷途中に用紙切れが発生する場合には、印刷開始前に用紙の補充を通知するが、そのまま印刷が開始されてしまうため、印刷途中で用紙切れが発生することになる。
【０００９】
そこで、本発明は上記問題点に鑑みてなされたものであり、印刷途中に用紙切れが発生することを回避することで、帳票などの連続紙を用いた大量印刷を一括して指示できるようにした印刷システムおよびその印刷制御方法、印刷制御装置および印刷管理プログラムを提供することを目的とする。
【課題を解決するための手段】
【００１０】
上記目的を達成するため、請求項１の発明は、連続紙を用いて印刷を行う複数台の印刷装置と、印刷ジョブに設定された出力先情報に基づいて前記複数台の印刷装置のいずれかに該印刷ジョブを送信して印刷処理を実行させる印刷制御装置とを有する印刷システムにおいて、前記印刷装置は、装填された連続紙の用紙残枚数を管理する管理手段を具備し、前記印刷制御装置は、前記管理手段から前記用紙残枚数を取得する残枚数取得手段と、前記印刷ジョブを解析し印刷に必要な用紙の印刷枚数を取得する印刷枚数取得手段と、前記残枚数取得手段で取得した前記用紙残枚数と、前記印刷枚数取得手段で取得した前記印刷枚数とに基づき前記複数の印刷装置各々に対応した予測残枚数を表示部に表示する表示制御手段と、前記印刷ジョブに設定された出力先情報を操作部からの操作指示に基づき変更する変更手段とを具備することを特徴とする。
【００１１】
また、請求項２の発明は、連続紙を用いて印刷を行う複数台の印刷装置と、印刷ジョブに設定された出力先情報に基づいて前記複数台の印刷装置のいずれかに該印刷ジョブを送信して印刷処理を実行させる印刷制御装置とを有する印刷システムの印刷制御方法において、前記印刷装置は、装填された連続紙の用紙残枚数を管理手段で管理し、前記印刷制御装置は、前記管理手段から前記用紙残枚数を残枚数取得手段で取得するとともに、前記印刷ジョブを解析し印刷に必要な用紙の印刷枚数を印刷枚数取得手段で取得し、前記残枚数取得手段で取得した前記用紙残枚数と、前記印刷枚数取得手段で取得した前記印刷枚数とに基づき前記複数の印刷装置各々に対応した予測残枚数を表示部に表示制御手段で表示し、前記印刷ジョブに設定された出力先情報を操作部からの操作指示に基づき変更手段で変更することを特徴とする。
【００１２】
また、請求項３の発明は、連続紙を用いて印刷を行う複数台の印刷装置と接続され、印刷ジョブに設定された出力先情報に基づいて前記複数台の印刷装置のいずれかに該印刷ジョブを送信して印刷処理を実行させる印刷制御装置において、前記印刷装置から前記用紙残枚数を取得する残枚数取得手段と、前記印刷ジョブを解析し印刷に必要な用紙の印刷枚数を取得する印刷枚数取得手段と、前記残枚数取得手段で取得した前記用紙残枚数と、前記印刷枚数取得手段で取得した前記印刷枚数とに基づき前記複数の印刷装置各々に対応した予測残枚数を表示部に表示する表示制御手段と、前記印刷ジョブに設定された出力先情報を操作部からの操作指示に基づき変更する変更手段とを具備することを特徴とする。
【００１３】
また、請求項４の発明は、連続紙を用いて印刷を行う複数台の印刷装置と接続され、印刷ジョブに設定された出力先情報に基づいて前記複数台の印刷装置のいずれかに該印刷ジョブを送信して印刷処理を実行させる処理をコンピュータに実行させる印刷管理プログラムであって、前記印刷装置から前記用紙残枚数を取得する残枚数取得ステップと、前記印刷ジョブを解析し印刷に必要な用紙の印刷枚数を取得する印刷枚数取得ステップと、前記残枚数取得ステップで取得した前記用紙残枚数と、前記印刷枚数取得ステップで取得した前記印刷枚数とに基づき前記複数の印刷装置各々に対応した予測残枚数を表示部に表示する表示制御ステップと、前記印刷ジョブに設定された出力先情報を操作部からの操作指示に基づき変更する変更ステップとを含むことを特徴とする。
【発明の効果】
【００１４】
本発明によれば、連続紙を用いて印刷を行う複数台の印刷装置から該印刷装置に装填された連続紙の用紙残枚数を取得するとともに、印刷ジョブを解析し印刷に必要な用紙の印刷枚数を取得し、該取得した用紙残枚数と、印刷枚数とに基づき複数の印刷装置各々に対応した予測残枚数を表示部に表示するとともに、印刷ジョブに設定された出力先情報を操作部からの操作指示に基づき変更するように構成したため、用紙の残枚数を参照しながら印刷ジョブの出力先を変更できることになる。
【００１５】
これにより、印刷途中で用紙切れが発生することがなくなるので、帳票などの連続紙を用いた大量印刷を一括して指示できる。
【発明を実施するための最良の形態】
【００１６】
以下、この発明に係わる印刷システムおよびその印刷制御方法、印刷制御装置および印刷管理プログラムの実施例について添付図面を参照して詳細に説明する。
【実施例】
【００１７】
図１は、本発明に係わる印刷システムの全体構成の一例を示す図である。
【００１８】
この印刷システムは、クライアント端末１０と、プリントサーバ２０と、複数台のプリンタ３０（プリンタＡ〜Ｃ）とを具備して構成され、それぞれの装置はＬＡＮ（Local Area Network）等のネットワーク４０を介して接続される。
【００１９】
ここで、クライアント端末１０は、ユーザが扱うパーソナルコンピュータ等であり、ネットワーク４０上には複数台のクライアント端末１０が接続される。このクライアント端末１０上からは、所定の操作を行うことでプリンタ３０に印刷を依頼することができる。なお、この印刷システムにおいて、クライアント端末１０から印刷を行う場合には、出力先情報（出力先のプリンタ３０を指定した情報）を設定した印刷ジョブをプリントサーバ２０に送ることになる。
【００２０】
プリンタ３０は、連続紙を用いて印刷を行う連続紙プリンタであり、プリントサーバ２０から送られてくる印刷ジョブに基づき印刷処理を行う。先に述べたとおり、連続紙を用いた印刷においては、１つの印刷ジョブを連続した用紙のまま印刷する必要があり、印刷途中で用紙切れが発生することを回避する必要がある。なお、本実施例においては、説明の便宜上、プリンタＡ〜Ｃには、同一サイズの連続紙が装填されているものとして説明する。
【００２１】
プリントサーバ２０は、クライアント端末１０から印刷ジョブを受け付けて、記憶装置に一旦格納して管理するとともに、自装置が管理するプリンタ３０のいずれかに当該ジョブを転送して、印刷処理を実行する。プリントサーバ２０では基本的に、印刷ジョブに設定された出力先情報に示されたプリンタ２０へ印刷ジョブを転送することになる。
【００２２】
また、プリントサーバ２０上からは、印刷管理画面（同図下側）を起動することで、スプール中の印刷ジョブの各種管理を行うことができる。この印刷管理画面では、プリンタ毎の予測残枚数を確認できるとともに、これに基づき印刷ジョブの出力先プリンタを変更することができる。
【００２３】
例えば、図１に示す印刷管理画面では、プリンタＡおよびプリンタＢにおける印刷状態が表示されており、ユーザは、これを参照してプリンタＡおよびプリンタＢで処理中、あるいは処理待ちとなっている印刷ジョブ毎の印刷枚数や、プリンタ毎の用紙残枚数等を把握することができる。
【００２４】
ここで、図２および図３を用いてプリンタ３０およびプリントサーバ２０の内部構成について説明する。なお、図２および図３では、本発明に係わる構成要素のみを挙げて説明する。
【００２５】
図２は、図１に示したプリンタ３０の機能的な構成の一例を示す図である。なお、同図に示すプリンタＡ〜Ｃは、同等の機能を有しその構成も略同様であるため、ここでは代表してプリンタＡの構成について説明する。
【００２６】
プリンタ３０は、各種処理機能部として、用紙枚数登録部３１と、用紙枚数管理部３２と、印刷部３３と、通信部３４とを具備して構成される。
【００２７】
用紙枚数登録部３１は、プリンタ本体に設置された操作パネルからのユーザ指示に基づき用紙枚数を登録する機能を有する。ユーザは、プリンタ３０に装填された連続紙の用紙枚数を予め操作パネル等から入力しておく必要があり、用紙枚数登録部３１では、この入力された用紙枚数を後述する用紙枚数管理部３２へ登録する。なお、本実施例においては、この用紙枚数の登録を連続紙の掛け替え時に行うものとして説明する。
【００２８】
用紙枚数管理部３２は、プリンタ３０に装填された連続紙の用紙枚数を管理する。具体的には、この用紙枚数管理部３２では、連続紙掛け替え時に登録された用紙枚数から、印刷部３３で印刷が行われる都度、その用紙枚数を減算カウントすることにより、装填中の連続紙の用紙枚数を管理することになる。
【００２９】
印刷部３３は、用紙に画像を形成し印刷を行う印刷機構であり、プリントサーバ２０からの印刷ジョブに基づき印刷を行う。通信部３４は、プリンタ３０とネットワーク４０とを接続する通信インターフェース装置としての役割を果たす。
【００３０】
図３は、図１に示したプリントサーバ２０の機能的な構成の一例を示す図である。
【００３１】
プリントサーバ２０は、各種処理機能部として、通信部２１と、残枚数取得部２２と、印刷管理部２３と、表示制御部２４と、表示部２５と、操作部２６とを具備して構成される。
【００３２】
通信部２１は、プリントサーバ２０とネットワーク４０とを接続する通信インターフェース装置としての役割を果たし、残枚数取得部２２は、プリンタ３０から用紙残枚数を取得する機能を有する。
【００３３】
印刷管理部２３は、印刷ジョブの管理全般を行う機能を有し、出力先変更部２３ａと、印刷枚数取得部２３ｂとを具備して構成される。この出力先変更部２３ａは、操作部２６からのユーザ指示に基づき印刷ジョブの出力先情報を変更し、出力先のプリンタ３０を変更する機能を有する。なお、この出力先変更部２３ａでは、印刷ジョブの実行順番の変更も行う。
【００３４】
印刷枚数取得部２３ｂは、スプール中の印刷ジョブを解析し印刷に必要な用紙の印刷枚数を取得する機能を有する。
【００３５】
また、表示制御部２４は、残枚数取得部２２で取得したプリンタ毎の用紙残枚数と、印刷枚数取得部２３ｂで取得した印刷ジョブ毎の印刷枚数とに基づきプリンタ各々に対応した予測残枚数を表示部２５に表示する機能を有する。
【００３６】
表示部２５は、各種操作画面を表示するディスプレイなどの表示用デバイスであり、操作部２６は、ユーザ指示を入力するキーボードやマウスなどの入力用デバイスである。この表示部２５には、上述した印刷管理画面が表示され、ユーザは、この画面上から操作部２６を用いて印刷ジョブの出力先プリンタ３０の変更等の操作を行うことができる。
【００３７】
次に、図４を用いて、図１に示した印刷システムにおける印刷制御処理の動作の概要について説明する。
【００３８】
まず始めに、ユーザ（オペレータ）は、プリンタ３０の操作パネル上から用紙残枚数を入力し登録しておく（ステップＳ１０１）。この用紙残枚数の登録は、ネットワーク４０上の複数のプリンタ３０各々に対して行う。
【００３９】
一方、この入力操作を受け付けたプリンタ３０では、用紙残枚数登録部３１において、この入力された用紙残枚数を用紙枚数管理部３２へ登録し、残枚数を管理することになる（ステップＳ１０２）。なお、毎回同一の残枚数を有する連続紙を装填するのならば、用紙の掛け替え時に、決まった初期値（例えば、２０００枚）を自動的に登録するように構成して、この登録作業を省略するようにしてもよい。この場合、初期値が異なる用紙を掛け替える時だけ登録作業を行う必要がある。
【００４０】
プリンタ３０へ残枚数が登録されると、プリントサーバ２０では、残枚数取得部２２において、この用紙残枚数をプリンタ３０から取得する（ステップＳ１０３）。
【００４１】
ここで、ユーザが、クライアント端末１０のアプリケーション上から出力先のプリンタ３０を指定した印刷指示を行うと（ステップＳ１０４）、当該指示に基づく印刷ジョブがクライアント端末１０からプリントサーバ２０へと送られ、プリントサーバ２０上で印刷ジョブがスプールされる。
【００４２】
これを受け付けたプリントサーバ２０では、印刷枚数取得部２３ｂにおいて、当該ジョブを解析し印刷に必要な用紙の印刷枚数を取得するとともに（ステップＳ１０５）、表示制御部２４において、この印刷ジョブから取得した印刷枚数と、上記処理でプリンタ３０から取得した用紙残枚数とに基づきプリンタ各々に対応した予測残枚数を表示部２５に表示する。すなわち、図５に示す印刷管理画面が表示部２５に表示される（ステップＳ１０６）。
【００４３】
詳細は後述するが、ユーザは、この印刷管理画面上から用紙切れが発生しないように、印刷ジョブの順番や出力先の変更操作等を行うことになる（ステップＳ１０７）。この変更操作が行われると、出力先変更部２３ａにおいて、この変更操作に基づき出力先のプリンタ３０等が変更されるとともに、表示制御部２４において、その変更内容が表示部２５に更新表示される（ステップＳ１０８）。
【００４４】
ここで、用紙切れ等が発生せずに問題なく印刷が行える状態になれば、ユーザは、印刷の開始を指示する（ステップＳ１０９）。この指示とともに、プリントサーバ２０から出力先のプリンタ３０へ印刷ジョブが送信され、印刷が開始される（ステップＳ１１０）。
【００４５】
印刷が開始されると、プリンタ３０では用紙枚数管理部３２において、印刷部３３で印刷が行われる都度、上記ステップＳ１０２で登録した用紙残枚数を減算カウントすることにより、装填中の連続紙の用紙枚数を管理する（ステップＳ１１１）。
【００４６】
一方、プリントサーバ２０では、残枚数取得部２２において、この用紙残枚数を再度取得し、表示制御部２４において、その取得結果を表示部２５に更新表示する（ステップＳ１１３）。以降、プリントサーバ２０では、この用紙残枚数を周期的に取得し、その更新表示を行うといったプリンタの監視、印刷管理を継続して行うことになる。
【００４７】
ここで、図５を用いて、上記図４のステップＳ１０７における処理の概要について説明する。
【００４８】
図５には、印刷管理画面における印刷ジョブの順番、出力先変更操作の概要が示される。
【００４９】
同図に示す一例によると、プリンタＡには、１３００枚の連続紙が装填されており、印刷ジョブＡ、Ｂ，Ｄが処理中、あるいは処理待ちとなっている。また、印刷ジョブＡ（印刷枚数：５００枚）の実行後には、その用紙残枚数が８００枚となり、印刷ジョブＢ（印刷枚数：４００枚）の実行後には、その用紙残枚数が４００枚となり、印刷ジョブＤ（印刷枚数：５００枚）処理後には、用紙切れが生じ、１００枚分足りない旨（−１００枚）が表示されている。
【００５０】
一方で、プリンタＢには、９００枚の連続紙が装填されており、印刷ジョブＣ（印刷枚数：５００枚）が処理中となっているが、当該ジョブ終了後に、４００枚の残枚数が確保できる旨が表示されている。
【００５１】
この表示を参照したユーザは、プリンタＡにおいて用紙切れが発生することを避けるため、プリンタＡで処理待ちとなっている印刷ジョブＢ（印刷枚数：４００枚）を、プリンタＢへと移動させ、出力先を変更させる。例えば、マウス等によるドラッグ操作により出力先の変更することができる。
【００５２】
これにより、用紙切れが起こらずに、印刷ジョブＡ〜Ｄに対する印刷を実行することができる。
【００５３】
以上説明したように本発明においては、プリンタ３０から装填中の連続紙の用紙残枚数を取得するとともに、スプール中の印刷ジョブを解析し印刷に必要な用紙の印刷枚数を取得し、この用紙残枚数と印刷枚数とに基づきプリンタ各々に対応した予測残枚数を表示部２５に表示するとともに、印刷ジョブに設定された出力先情報を操作部２６からの操作指示に基づき変更するように構成したため、用紙の残枚数を参照しながら印刷ジョブの出力先を変更できることになる。
【００５４】
これにより、印刷途中で用紙切れが発生することがなくなるので、帳票などの連続紙を用いた大量印刷を一括して指示できる。
【００５５】
なお、上記実施例においては、ユーザの手動操作により印刷ジョブの順番変更や、出力先の変更を行う場合を説明したが、この変更処理をプリントサーバ２０上で自動的に行うように構成してもよい。
【００５６】
また、自動的に変更処理実行後、ユーザによる変更操作を行えるように構成することで、変更処理を半自動的に行うように構成してもよい。
【００５７】
また、上記実施例においては、プリンタＡ〜Ｃに同一サイズの連続紙が装填される場合を例に挙げて説明したが、装填された連続紙の用紙サイズが異なる場合には、さらに装填中の用紙サイズを表示することで対応することができる。
【００５８】
また、上記実施例においては、本発明に係わる発明を印刷システムに適用して実施する場合について説明したが、この処理をコンピュータにインストールされた印刷管理プログラムにより実施するように構成してもよい。
【００５９】
この他、本発明は、上記および図面に示す実施例に限定することなく、その要旨を変更しない範囲内で適宜変形して実施できるものである。
【産業上の利用可能性】
【００６０】
本発明の印刷システムおよびその印刷制御方法、印刷制御装置および印刷管理プログラムは、複数台の連続紙を用いた印刷装置と、該印刷装置へ印刷ジョブを送信する印刷制御装置とを有する印刷システム全般に適用可能であり、特に、連続紙を用いた印刷装置を配する印刷システムで有効利用することができる。
【図面の簡単な説明】
【００６１】
【図１】本発明に係わる印刷システムの全体構成の一例を示す図である。
【図２】図１に示すプリンタ３０の機能的な構成の一例を示す図である。
【図３】図１に示すプリントサーバ２０の機能的な構成の一例を示す図である。
【図４】図１に示す印刷システムにおける印刷制御処理の動作をフロー形式で示す図である。
【図５】印刷管理画面における印刷ジョブの順番、出力先変更操作の概要を示す図である。
【符号の説明】
【００６２】
１０    クライアント端末
２０    プリントサーバ
２１    通信部
２２    残枚数取得部
２３    印刷管理部
２３ａ    出力先変更部
２３ｂ    印刷枚数取得部
２４    表示制御部
２５    表示部
２６    操作部
３０    プリンタ
３１    用紙枚数登録部
３２    用紙枚数管理部
３３    印刷部
３４    通信部
４０    ネットワーク
【図１】
2007148533.tif 000003
【図２】
2007148533.tif 000004
【図３】
2007148533.tif 000005
【図４】
2007148533.tif 000006
【図５】
2007148533.tif 000007